【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
デジタル印刷システムの仕上げ装置、およびそれぞれがシート１、２、３〜Ｎを含む用紙セット内に配列された複数の媒体シートと連動させて用いるための時間調整用シート・バッファリング・システムであって、
前記シートを入力速度で入力するためのシート経路入口と、前記シートを出力するためのシート経路出口と、前記シート経路入口と前記シート経路出口の間に配置されてバッファリングのための空間を提供するための経路ループとを有するシート経路と、
前記経路ループと前記シート経路出口の間に配置されたコンパイラ領域と、
前記コンパイラ領域内でシートセットをコンパイリング速度で集めるためのコンパイラと、
前記シート経路上に配置され、シート１〜Ｎを前記入力速度から位置を合わせるための位置合わせ速度に減速させるため、かつ選択シートを加速させるための位置合わせニップと、
前記シート経路上の前記位置合わせニップの下流に配置され、位置合わせ終了後の前記用紙セットのシート１およびシート２を所定の速度で維持するため、かつ前記用紙セットのシート１およびシート２を加速させるための第１の時間調整ニップと、
前記シート経路上の前記第１の時間調整ニップの下流、および前記コンパイラ領域の上流に配置され、前記用紙セットのシート１およびシート２をコンパイリング速度に加速させる第２の時間調整ニップと、
前記シート経路上に配列され、前記シートの位置と速度を検知するための複数のセンサと、を含み、
仕上げの時間を確保するために、前記用紙セットのシート１およびシート２が、それ以外のシートよりも長い時間、前記所定の速度に維持される、時間調整用シート・バッファリング・システム。
【請求項２】
前記第１の時間調整ニップが、アイドリングローラおよび内側駆動ローラを有する内側ニップと、アイドリングローラおよび外側駆動ローラを有する外側ニップと、前記内側駆動ローラと前記外側駆動ローラを接続する第１の駆動軸と、前記第１の駆動軸に操作可能に接続する第１のステッピングモータと、をさらに含み、
前記第２の時間調整ニップが、アイドリングローラおよび内側駆動ローラを有する内側ニップと、アイドリングローラおよび外側駆動ローラを有する外側ニップと、前記内側駆動ローラと前記外側駆動ローラを接続する第２の駆動軸と、前記第２の駆動軸に操作可能に接続する第２のステッピングモータと、をさらに含み
前記位置合わせニップが、アイドリングローラおよび内側駆動ローラを有する内側ニップと、アイドリングローラおよび外側駆動ローラを有する外側ニップと、前記内側駆動ローラに操作可能に接続する内側ステッピングモータと、前記外側駆動ローラに操作可能に接続する外側ステッピングモータと、をさらに含み、前記内側駆動ローラおよび外側駆動ローラは一直線上に配置され、前記内側駆動ローラと前記外側駆動ローラは接続していない、請求項１に記載の時間調整用シート・バッファリング・システム。
【請求項３】
前記位置合わせニップが、位置合わせ終了後に、前記用紙セットのシート３〜Ｎをコンパイリング速度に加速させ、
前記第１の時間調整ニップおよび前記第２の時間調整ニップが、位置合わせ終了後に、
前記用紙セットのシート１およびシート２をコンパイリング速度に加速させ、
仕上げの時間を確保するために、前記用紙セットのシート１およびシート２が、前記用紙セットのシート３〜Ｎよりも長い時間、位置合わせ速度で維持される、請求項１に記載の時間調整用シート・バッファリング・システム。
【請求項４】
前記位置合わせニップが、位置合わせ終了後の前記用紙セットのシート４〜Ｎをコンパイリング速度に加速させ、
前記第１の時間調整ニップが、前記用紙セットのシート１、２、および３を位置合わせ速度で維持し、前記用紙セットのシート１、２、および３を加速させ、
前記第２の時間調整ニップが、前記用紙セットのシート１、２、および３をコンパイリング速度に加速させ、
仕上げの時間を確保するために、前記用紙セットのシート１、２、および３が、前記用紙セットのシート４〜Ｎよりも長い時間位置合わせ速度で維持される、請求項１に記載の時間調整用シート・バッファリング・システム。
【請求項５】
前記入力速度は約１０９０ｍｍ／ｓであり、
前記位置合わせ速度は約６５０ｍｍ／ｓであり、
前記コンパイリング速度は約１３８０ｍｍ／ｓであり、
前記所定の速度は、前記位置合わせ速度と前記コンパイリング速度の間の速度である、
請求項１に記載の時間調整用シート・バッファリング・システム。
【請求項６】
前記コンパイラ領域に隣接する真空グリッパ搬送部と、
前記コンパイラ領域と前記シート経路出口の間に配置され、集められたシートのセットをホチキス止めするホチキスと、
をさらに含む、請求項１に記載の時間調整用シート・バッファリング・システム。
【請求項７】
デジタル印刷システムの仕上げ装置、およびそれぞれがシート１、２、３〜Ｎを含む用紙セット内に配列された複数の媒体シートと連動させて用いるための時間調整用シート・バッファリング・システムであって、
前記シートを入力速度で入力するためのシート経路入口と、前記シートを出力するためのシート経路出口と、前記シート経路入口と前記シート経路出口の間に配置されてバッファリングのための空間を提供するための経路ループとを有するシート経路と、
前記経路ループと前記シート経路出口の間に配置されたコンパイラ領域と、
前記コンパイラ領域内でシートセットをコンパイリング速度で集めるためのコンパイラと、
前記コンパイラ領域に隣接する搬送装置と、
前記コンパイラ領域と前記シート経路出口の間に配置され、集められたシートのセットをホチキス止めするホチキスと、
前記経路ループに沿って配置される複数の搬送ニップと、
前記シート経路上に配置され、シート１〜Ｎを前記入力速度から位置を合わせるための位置合わせ速度に減速させるため、かつ選択シートを加速させるための位置合わせニップと、
前記シート経路上の前記位置合わせニップの下流に配置され、位置合わせ終了後の前記用紙セットのシート１およびシート２を所定の速度で維持するため、かつ前記用紙セットのシート１およびシート２を加速させるための第１の時間調整ニップと、
前記シート経路上の前記第１の時間調整ニップの下流、および前記コンパイラ領域の上流に配置され、前記用紙セットのシート１およびシート２をコンパイリング速度に加速させる第２の時間調整ニップと、
前記シート経路上に配列され、前記シートの位置と速度を検知するための複数のセンサと、を含み、
仕上げの時間を確保するために、前記用紙セットのシート１およびシート２が、それ以外のシートよりも長い時間、前記所定の速度に維持される、時間調整用シート・バッファリング・システム。
【請求項８】
前記第１の時間調整ニップが、アイドリングローラおよび内側駆動ローラを有する内側ニップと、アイドリングローラおよび外側駆動ローラを有する外側ニップと、前記内側駆動ローラと前記外側駆動ローラを接続する第１の駆動軸と、前記第１の駆動軸に操作可能に接続する第１のステッピングモータと、をさらに含み、
前記第２の時間調整ニップが、アイドリングローラおよび内側駆動ローラを有する内側ニップと、アイドリングローラおよび外側駆動ローラを有する外側ニップと、前記内側駆動ローラと前記外側駆動ローラを接続する第２の駆動軸と、前記第２の駆動軸に操作可能に接続する第２のステッピングモータと、をさらに含み
前記位置合わせニップが、アイドリングローラおよび内側駆動ローラを有する内側ニップと、アイドリングローラおよび外側駆動ローラを有する外側ニップと、前記内側駆動ローラに操作可能に接続する内側ステッピングモータと、前記外側駆動ローラに操作可能に接続する外側ステッピングモータと、をさらに含み、前記内側駆動ローラおよび外側駆動ローラは一直線上に配置され、前記内側駆動ローラと前記外側駆動ローラは接続していない、請求項７に記載の時間調整用シート・バッファリング・システム。
【請求項９】
前記位置合わせニップが、位置合わせ終了後に、前記用紙セットのシート３〜Ｎをコンパイリング速度に加速させ、
前記第１の時間調整ニップおよび前記第２の時間調整ニップが、位置合わせ終了後に、
前記用紙セットのシート１およびシート２をコンパイリング速度に加速させ、
仕上げの時間を確保するために、前記用紙セットのシート１およびシート２が、前記用紙セットのシート３〜Ｎよりも長い時間、位置合わせ速度で維持される、請求項７に記載の時間調整用シート・バッファリング・システム。
【請求項１０】
前記位置合わせニップが、位置合わせ終了後の前記用紙セットのシート４〜Ｎをコンパイリング速度に加速させ、
前記第１の時間調整ニップが、前記用紙セットのシート１、２、および３を位置合わせ速度で維持し、前記用紙セットのシート１、２、および３を加速させ、
前記第２の時間調整ニップが、前記用紙セットのシート１、２、および３をコンパイリング速度に加速させ、
仕上げの時間を確保するために、前記用紙セットのシート１、２、および３が、シート４〜Ｎよりも長い時間位置合わせ速度で維持される、請求項７に記載の時間調整用シート・バッファリング・システム。
【請求項１１】
前記入力速度は約１０９０ｍｍ／ｓであり、
前記位置合わせ速度は約６５０ｍｍ／ｓであり、
前記コンパイリング速度は約１３８０ｍｍ／ｓであり、
前記所定の速度は、前記位置合わせ速度と前記コンパイリング速度の間の速度である、
請求項７に記載の時間調整用シート・バッファリング・システム。
【請求項１２】
前記搬送装置は、真空グリッパ搬送部をさらに含む、請求項７に記載の時間調整用シート・バッファリング・システム。
【請求項１３】
デジタル印刷システムの仕上げ装置、およびそれぞれがシート１、２、３〜Ｎを含む用紙セット内に配列された複数の媒体シートと連動させて用いるための時間調整のシートバッファリングを行う方法であって、
前記シートを入力速度でシート経路の入口に入力するステップと、
前記シート経路の入口と出口の間の経路ループを用いてバッファリングを行うための空間を提供するステップと、
複数の搬送ニップを有する前記経路ループに沿って前記シートを搬送するステップと、
前記シート経路に配置された複数のセンサを用いて前記シートの位置と速度を検知するステップと、
前記シート経路上の位置合わせニップを用いてシート１〜Ｎを前記入力速度から位置合わせ速度に減速させるステップと、
前記位置合わせニップを用いて前記シート１〜Ｎの位置合わせを行うステップと、
前記位置合わせニップを用いて選択シートをコンパイリング速度に加速させるステップと、
前記位置合わせニップ、および前記シート経路の前記位置合わせニップの下流に配置された第１の時間調整ニップを用いて、各用紙セットのシート１およびシート２を所定の速度で維持するステップと、
前記第１の時間調整ニップを用いて各用紙セットシート１およびシート２を加速させるステップと、
前記シート経路上の前記第１の時間調整ニップの下流に配置された第２の時間調整ニップを用いて、各用紙セットのシート１およびシート２をコンパイリング速度に加速させるステップと、
仕上げの時間を確保するために、各用紙セットのシート１およびシート２をそれ以外のシートよりも長い時間、位置合わせ速度で維持するステップと、
コンパイリング速度で各用紙セットのシートを集めるステップと、
前記用紙セットを排出させるステップと、を含む方法。
【請求項１４】
位置合わせ終了後、前記位置合わせニップを用いて前記用紙セットのシート３〜Ｎをコンパイリング速度に加速させるステップと、
位置合わせ終了後、前記第１の時間調整ニップと第２の時間調整ニップを用いて、前記用紙セットのシート１およびシート２をコンパイリング速度に加速させるステップと、
仕上げの時間を確保するために、各用紙セットのシート１およびシート２をシート３〜Ｎよりも長い時間、位置合わせ速度で維持するステップと、をさらに含む請求項１３に記載の方法。
【請求項１５】
位置合わせ終了後に、前記位置合わせニップを用いて前記用紙セットのシート４〜Ｎをコンパイリング速度に加速させるステップと、
前記第１の時間調整ニップを用いて前記用紙セットのシート１、２、および３を位置合わせ速度で維持し、
前記第２の時間調整ニップを用いて前記用紙セットのシート１、２、および３をコンパイリング速度に加速させるステップと、
仕上げの時間を確保するために、前記用紙セットのシート１、２、および３を、シート４〜Ｎよりも長い時間、位置合わせ速度で維持するステップと、をさらに含む請求項１３に記載の方法。
【請求項１６】
前記第１の時間調整ニップの内側駆動ローラと外側駆動ローラを共有の第１の駆動軸で共に接続するステップと、
第１のステッピングモータを用いて前記第１の駆動軸を操作可能に駆動させるステップと、
前記第２の時間調整ニップの内側駆動ローラと外側駆動ローラを共有の第２の駆動軸で共に接続するステップと、
第２のステッピングモータを用いて前記第２の駆動軸を操作可能に駆動させるステップと、
内側ステッピングモータを用いて前記位置合わせニップの内側駆動ローラを操作可能に駆動させるステップと、
外側ステッピングモータを用いて前記位置合わせニップの外側駆動ローラを操作可能に駆動させるステップと、
前記内側駆動ローラと前記外側駆動ローラを同一線上に配列させるステップであって、前記内側駆動ローラと前記外側駆動ローラとは接続していない、ステップと、をさらに含む請求項１３に記載の方法。
【請求項１７】
コンパイリングする前に真空グリッパ搬送部で前記シートを搬送するステップをさらに含む、請求項１３に記載の方法。
【請求項１８】
コンパイリングした後にホチキスで前記用紙セットをホチキス止めするステップをさらに含む、請求項１３に記載の方法。
【請求項１９】
デジタル印刷システムの仕上げ装置、およびそれぞれがシート１、２、３〜Ｎを含む用紙セット内に配列された複数の媒体シートと連動させて用いるための時間調整のシートバッファリングを行う方法であって、
前記シートを入力速度でシート経路の入口に入力するステップと、
前記シート経路の入口と出口の間の経路ループを用いてバッファリングを行うための空間を提供するステップと、
複数の搬送ニップを有する前記経路ループに沿って前記シートを搬送するステップと、
前記シート経路に配置された複数のセンサを用いて前記シートの位置と速度を検知するステップと、
前記シート経路上の位置合わせニップを用いてシート１〜Ｎを前記入力速度から位置合わせ速度に減速させるステップと、
内側ステッピングモータを用いて前記位置合わせニップの内側駆動ローラを操作可能に駆動させるステップと、
外側ステッピングモータを用いて前記位置合わせニップの外側駆動ローラを操作可能に駆動させるステップと、
前記内側駆動ローラと前記外側駆動ローラを同一線上に配列させるステップであって、前記内側駆動ローラと前記外側駆動ローラとは接続していない、ステップと、
前記位置合わせニップを用いて前記シート１〜Ｎの位置合わせを行うステップと、
位置合わせ終了後、前記位置合わせニップを用いて前記用紙セットのシート３〜Ｎをコンパイリング速度に加速させるステップと、
前記位置合わせニップ、および前記シート経路の前記位置合わせニップの下流に配置された第１の時間調整ニップを用いて、各用紙セットのシート１およびシート２を所定の位置合わせ速度で維持するステップと、
前記第１の時間調整ニップの内側駆動ローラと外側駆動ローラを共有の第１の駆動軸で共に接続するステップと、
第１のステッピングモータを用いて前記第１の駆動軸を操作可能に駆動させるステップと、
仕上げの時間を確保するために、前記用紙セットのシート１およびシート２を、前記用紙セットのシート３〜Ｎよりも長い時間、前記位置合わせ速度で維持するステップと、
前記第１の時間調整ニップを用いて各用紙セットのシート１およびシート２を加速させるステップと、
前記シート経路上の前記第１の時間調整ニップの下流に配置された第２の時間調整ニップを用いて、各用紙セットのシート１およびシート２をコンパイリング速度に加速させるステップと、
前記第２の時間調整ニップの内側駆動ローラと外側駆動ローラを共有の第２の駆動軸で共に接続するステップと、
第２のステッピングモータを用いて前記第２の駆動軸を操作可能に駆動させるステップと、
コンパイリング速度で各用紙セットのシートを集めるステップと、
前記用紙セットを排出させるステップと、を含む方法。
【請求項２０】
コンパイリングする前に真空グリッパ搬送部で前記シートを搬送するステップと、
コンパイリングした後にホチキスで前記用紙セットをホチキス止めするステップと、をさらに含む、請求項１９に記載の方法。